Podtech/llm-jp-corpus-v4-ja_patent huggingface dataset:
(57)【要約】【課題】病気などにより、挿入性行為のできない夫婦の性生活を円滑にし、精神的な絆を強くするために、妻の手による射精行為を手助けするときや、あるいは、体の不自由な人のために自慰行為を手助けする時等に使用する、精液捕集衛生用品を提供する。【解決手段】皮膚に悪影響を及ぼさないシリコン等の軟性素材を使用した男性器を覆うための袋の開口部周縁を外側に折り返し、該周縁を袋本体に固着することで折り返し部を形成し、該折り返し部に、親指とその他のいずれかの指の二本を差し込むことができるように切込みを設け、前記袋本体の内側面に滑り止めを形成したことを特徴とする。【選択図】  図１
2006212395.tif 000002
【特許請求の範囲】
【請求項１】
皮膚に悪影響を及ぼさないシリコン等の軟性素材を使用した男性器を覆うための袋の開口部周縁を外側に折り返し、該周縁を袋本体に固着することで折り返し部を形成し、該折り返し部に、親指とその他のいずれかの指の二本を差し込むことができるように切込みを設け、前記袋本体の内側面に滑り止めを形成したことを特徴とする精液捕集補助具。
【発明の詳細な説明】
【技術分野】
【０００１】  本発明は、妻又は夫の病気などにより、挿入性行為のできない夫婦の増加に伴い、近年のセックスレス夫婦の言葉に代表される精神的な夫婦の絆の弱体化を一因とした、家庭崩壊の問題が深刻化している中、夫婦間の性生活を円滑にし、精神的な絆を強くするために、代替行為として妻の手による射精行為を手助けするときに使用したり、あるいは、今までタブー視されてきた、身体障害者や高齢者の性の問題が、社会的に注目をされるようになってきた今、これらの人のために、ボランティアで自慰行為を手助けする時等に使用することで、生理的欲求のはけ口となり、精神的な安定を図ることができ、健全な生活を送る手助けとなる精液捕集補助具に関する。
【背景技術】
【０００２】  従来、挿入性行為のできない夫婦や高齢者、身体障害者等は、やむなく素手を使用して射精を促したりしていた。その際、ペニスには何も被せずに、露出した状態のまま、または、精液飛散防止のため代用品としてコンドームを被せて使用していた。
【発明の開示】
【発明が解決しようとする課題】
【０００３】  そのために次のような問題点があった。
（イ）素手により射精を行うと、ティッシュペーパーなどにより、精液を拭き取ったり、手を洗いに行かなければならなかったり、わずらわしい作業を必要とし、著しく雰囲気を損なっていた。
（ロ）精液が寝具に飛び付着し、不潔であった。
（ハ）コンドーム中に射精を行うと、精液の捕集はできるが、コンドームでは精液をきれいに拭いきれなかった。
（ニ）上記のような煩わしさから、健全な夫婦間の性行為の支障となり、夫婦間の愛情や絆の希薄化によるセックスレス夫婦の増加の原因、あるいは身体障害者等の健全な性生活の弊害となっていた。
本発明は、以上の問題点を解決するためのものである。
【課題を解決するための手段】
【０００４】  皮膚に悪影響を及ぼさないシリコン等の軟性素材を使用した男性器を覆うための袋の開口部周縁を外側に折り返し、該周縁を袋本体に固着することで折り返し部を形成し、該折り返し部に、親指とその他のいずれかの指の二本を差し込むことができるように切込みを設け、前記袋本体の内側面に滑り止めを形成したことを特徴とする精液捕集補助具である。
【発明の効果】
【０００５】  本発明は、効率的に精液を袋に捕集し、その上、きれいに拭い取ることができる。したがって、手についた精液を拭いとったり、手を洗いに行ったりするわずらわしさがない。
さらに、寝具を汚したりする心配がなく、衛生対策に役立つものである。
その結果、病気等で挿入性行為のできない夫婦の円滑な性生活を促し、夫婦間の絆をより一層強固なものにする効果がある。また、身体障害者においては、健全な生理的欲求のはけ口となり、心身ともに健全な生活を送る手助けとなる。
【発明を実施するための最良の形態】
【０００６】  以下、本発明の実施の形態について説明する。
（イ）ラテックスやシリコン等の皮膚に悪影響を及ぼさない軟性素材を使用した男性器を覆うための袋本体（１）の開口部周縁を外側に折り返し、該周縁を袋本体（１）に固着することで折り返し部（２）を形成する。
（ロ）折り返し部（２）に、親指とその他のいずれかの指の二本を差し込むことができるように縦に２箇所切込み（３）、（３）を設け、袋本体（１）の内側面に滑り止めの小突起（４）を複数形成する。
本発明は、以上の構成よりなっている。これを使用するときは、切り込み（３）（３）に親指（５）と人差し指（６）を入れて装着する。それをペニス（７）に被せ、親指（５）と人差し指（６）を上下運動させて使用する。
しかも、内側面に滑り止め用小突起（４）を設けているために、ペニス（７）の滑りぬけを防止し、射精後は、有効的に射精を捕集できる。さらに、親指（５）と人差し指（６）に適度な力を加え、きれいに精液を拭いとることができる。
【図面の簡単な説明】
【０００７】
【図１】本発明の斜視図
【図２】本発明の装着状態を示す図
【図３】本発明の使用状態を示す図
【符号の説明】
【０００８】  １  袋本体
２  折り返し部
３  切り込み
４  小突起
５  親指
６  人差し指
７  ペニス
【図１】
2006212395.tif 000003
【図２】
2006212395.tif 000004
【図３】
2006212395.tif 000005
(57)【要約】【課題】  ３０分程度のお昼寝は体にとても良く、昼寝後の頭の回転は昼寝前よりも良く、仕事の能率も上がるとテレビなどでやっているのに、いざ主婦が短時間のお昼寝をするとなると、快適に横になれる場所がないという現実があります。【解決手段】  マットの幅を従来の物の約３分の２（約６０ｃｍ）、長さは従来の通り（約２００ｃｍ）にし、またマットの折り目回数を６ヶにすることで、たたんだ時に超コンパクトにすることで、身近に置くことができ、横になりたいと思った時にすぐに広げて、快適なお昼寝マットを作ることができる。【選択図】  図１
2006212399.tif 000002
【特許請求の範囲】
【請求項１】
主婦の為のお昼寝ふとんをコンパクトにする為にマット型（低反発マットなど）を６ヶに折れる形にし、幅を６０ｃｍ位の細めにすることを提案します。
【発明の詳細な説明】
【技術分野】
【０００１】本発明は主婦がちょっと横になりたいと思った時に、すぐに広げて横になれるように、リビングのインテリアの一部としてちょこっと置けるように超コンパクトにすることを提案します。
【背景技術】
【０００２】従来のマットの幅や長さは約９５ｃｍ×約２００ｃｍ前後、そして折り目回数は３〜４ヶという物がほとんどで、これほど幅が狭く折り目回数が多いマットはなかった。
【発明の開示】
【発明が解決しようとする課題】
【０００３】主婦が３０分程度のお昼寝をする場合、リビングなどでするのですが、フローリングなどに直接横になるか、ジュニア用の布団などを敷いて寝たりします。しかし、その布団をリビングに畳んで置くにはあまりにも大き過ぎて邪魔であり、また違和感があります。そして、主婦がお昼寝をするのは堂々と出来る風潮にないので、当たり前にお昼寝が出来るようにリビングなどに違和感なく置くことができ、主婦のお昼寝が生活の一部として認められるようにしたいと思います。
【課題を解決するための手段】
【０００４】従来のシングルマットの大きさ幅約９０ｃｍ×長さ２００ｃｍから幅６０ｃｍ×長さ２００ｃｍにする、また、折り目回数６ヶ折にすること、そして畳んだ時に付属のベルトで留めることで、一段とコンパクトになり身近に置くことが出来るマットにする。
【発明の効果】
【０００５】マットを超コンパクトにすることによって折りたたんだ時の形をソファー椅子のように見せ、こうすることでどんな部屋でも身近な所に置くことができ、横になりたい時は、すぐにこのマットを広げて横になることができる。主婦がちょっと横になりたい、また、お昼寝はちょっと気がひけちゃうわと思っているものから、「お昼寝は美容のためにいいのよ。」なんて言って、このマットをさっと広げて堂々とできてしまうものになると思います。
以下、本発明の実施の形態について説明します。
【実施例】
【０００６】以前から低反発マットを利用したいと思っていますが、この超コンパクトマットの大きさだったら、試し易いと思います。
【図面の簡単な説明】
【０００７】
【図１】本発明を広げた時の図である。
【図２】本発明を広げた時の断面図である。
【図３】本発明をたたんだ時の立体図である。
【図４】本発明を広げた時の裏面図である。
【図５】本発明の使用図である。
【符号の説明】
【０００８】１  マット本体
２  付属ベルト
３  付属ベルト取り付け線
【図１】
2006212399.tif 000003
【図２】
2006212399.tif 000004
【図３】
2006212399.tif 000005
【図４】
2006212399.tif 000006
【図５】
2006212399.tif 000007
(57)【要約】【課題】  浴室で楽に足裏をこすることができる機能を持たせた、踵、足裏こすり具を提供する。【解決手段】  踵をこするための軽石（１）を埋め込んだ足裏こすり（２）に、受け台のゴムマット（３）を設けたことを特徴とする。【選択図】  図１
2006212397.tif 000002
【特許請求の範囲】
【請求項１】
踵をこするための軽石（１）を埋め込んだ足裏こすり（２）に、受け台のゴムマット（３）を設けた踵、足裏こすり具。
【発明の詳細な説明】
【発明の詳細な説明】
【技術分野】
【０００１】  この発明は、浴室で楽に足裏をこすることができる機能を持たせた踵、足裏こすり具に関するものである。
【背景技術】
【０００２】  従来、角質化した足裏などは軽石等で手を使ってこすっていた。
【発明が解決しょうとする課題】
【０００３】  そのために、次のような欠点があった。
（イ）角質化した踵等をこすり落とすことは、結構力のいる動作であるため手が疲れ苦痛であった。
（ロ）特に、冬場の浴室での足の手入れは時間を要し、身体が冷え怠慢になりがちだ。
本発明は、これらの欠点を解決するためになされたものである。
【課題を解決するための手段】
【０００４】  踵をこするための軽石（１）を埋め込んだ足裏こすり（２）を設ける。受け台のゴムマット（３）を設ける。
本発明は、以上の構成からなる踵、足裏こすり具である。
【発明を実施するための最良の形態】
【０００５】  以下、本発明の実施の形態について説明する。
（イ）足裏、特に土踏まず等は窪んでいるので、よく足裏につくように中央を盛り上げてカーブをつけた人工発砲石（２）を設ける。軽石が理想だが両足が乗るほどの大きなものは困難なので、この部分は人工発泡石を用いる。
（ロ）足裏こすり（２）の両側に踵をこする為の窪みをつけた軽石（１）を埋め込む。
（ハ）踵、足裏こすり（１）（２）に、受け台のゴムマットを設ける。
本発明は以上のような構造でこれを使用するときは、片足づつ使用し（１）に踵を乗せ、使用していないもう片方の足で空いてるスペースを踏み押さえ動かないようにする。それから踵をワイパーのように回してこする。
また土踏まずや足裏の手入れは、中央の盛り上がった部分でこする。
【発明の効果】
【０００６】  踵、足裏の手入れを手で行う必要がないので手が疲れず、足で行うことで楽に足の手入れができる。手入れが楽になったことで毎日でも楽しく使用でき、ひびわれ踵も解消され、ストッキングの伝線等もなくなる。素足の目立つサンダル、下駄の季節も手入れをした足で楽しく履ける。
【図面の簡単な説明】
【図１】    本発明の斜視図
【図２】    本発明の要部断面図
【符号の説明】
（１）  踵こすり
（２）  足裏こすり
（３）  ゴムマット
【図１】
2006212397.tif 000003
【図２】
2006212397.tif 000004
【手続補正書】
【提出日】平成17年7月1日(2005.7.1)
【手続補正１】
【補正対象書類名】明細書
【補正対象項目名】０００４
【補正方法】変更
【補正の内容】
【０００４】足裏をこする為の人工発泡石、ここに踵をこするため窪みをつけた軽石（１）を埋め込み、受け台のゴムマット（３）もうける。
【手続補正２】
【補正対象書類名】明細書
【補正対象項目名】０００５
【補正方法】変更
【補正の内容】
【０００５】（イ）本来、足裏の手入れには、軽石での使用が理想だが両足が乗るほどの大きさを必要とするので、本体は人工発泡石からなり、上下部の角は丸くカーブをつける。
（ロ）本体の両側に、踵をこするため、よりよくフィットするよう窪みをつけた丸い軽石（１）を埋め込む。
（ハ）人工発泡石に、受け台のゴムマット（３）を設ける。
本発明は以上のような構造で、これを使用するときは片足づつ使用し（１）に踵を乗せ、空いているスペースにもう片方の足を乗せ、動かないように踏み押さえ、窪みにのせた踵をワイパーのように左右に振ってこする。土踏まずの窪んだ部分などは、本体の丸くカーブした角を利用してこすり、足裏の手入れは、（１）の窪み以外の部分を使ってこする。
【手続補正３】
【補正対象書類名】明細書
【補正対象項目名】０００６
【補正方法】変更
【補正の内容】
【０００６】踵、足裏の手入れを足で行うため手が疲れず、また摩擦力が大きいで短時間で楽に手入れができる。
【手続補正４】
【補正対象書類名】図面
【補正対象項目名】図１
【補正方法】変更
【補正の内容】
【図１】
2006212397.tif 000005
【手続補正５】
【補正対象書類名】図面
【補正対象項目名】図２
【補正方法】変更
【補正の内容】
【図２】
2006212397.tif 000006
(57)【要約】【課題】  トイレットペーパーが  湿気や水滴から隔離できる空間が作れ  また、トイレットペーパーの使用や交換が出来る開放空間を容易に作れる  開閉式トイレットペーパーカバーを提供する。【解決手段】  トイレットペーパーが設置されている壁面（１）に固定するプレート（２）を設け、プレート（２）にヒンジ等で繋いだ、可動出来るカバー（３）を設ける、それにより、カバー（３）を下ろすことにより壁面（１）とで密閉空間が作れ、また、開放空間を作る為に持ち上げたカバー（３）をプレート（２）に止められる固定装置（４）を設けたことを特徴とする。【選択図】  図１
2006212360.tif 000002
【特許請求の範囲】
【請求項１】
トイレットペーパーとホルダーが設置されている壁面（１）に固定用プレート（２）を設け、プレート（２）にヒンジ等で繋いだ、可動出来るカバー（３）を設ける、カバー（３）を下ろすことにより壁面（１）とで密閉空間が作れ、また、持ち上げたカバー（３）をプレート（２）に止め開放空間が作れる固定装置（４）を設けた
開閉式トイレットペーパーカバー。
【発明の詳細な説明】
【発明の詳細な説明】
【技術分野】
【０００１】  この発明は、トイレットペーパーを湿気や水滴から隔離する空間が作れ、トイレットペーパーの使用や交換が容易に出来る開放空間が保持出来る開閉式トイレットペーパーカバーに関するものである。
【背景技術】
【０００２】  従来、トイレやユニットバス（トイレ付）に設置されたトイレットペーパーは回りの湿気や水滴が直接掛かる、剥き出しの状況であった。
【発明が解決しようとする課題】
【０００３】  これは次ぎのような欠点があった。
（イ）ホルダーに取り付けられたトイレットペーパーは剥き出し状態であり、清掃時や入浴時の湿気や水滴で、トイレットペーパーが湿めり使いづらい不具合があった。特に、ユニットバス（トイレ付き）の利用者は  毎日のように湿ったトイレットペーパーに悩まされていた。
（ロ）トイレットペーパーに水滴が付くと、濡れた数枚が固着したり  破れ易くなる不具合があった。
本発明は、これらの欠点を除くためになされたものである。
【課題を解決するための手段】
【０００４】  トイレットペーパーとホルダーが設置されている壁面（１）に固定用プレート（２）を設け、プレート（２）にヒンジ等で繋いだ、可動出来るカバー（３）を設けることで、壁面（１）とカバー（３）で密閉空間が作れる。又、カバー（３）を持ち上げ、カバー（３）を固定し開放空間を作る為の固定装置（４）を設けた。
本発明は、以上のような構成によりなる開閉式トイレットペーパーカバーである。
【発明を実施するための最良の形態】
【０００５】  以下、本発明の実施の形態について説明する。
トイレットペーパーが設置されている壁面（１）に固定するプレート（２）を設け、プレート（２）にヒンジ等で繋いだ、可動出来るカバー（３）を設ける、それにより、カバー（３）を下ろすことにより壁面（１）とで密閉空間が作れ、また、開放空間を作る為に持ち上げたカバー（３）をプレート（２）に止められる固定装置（４）を設ける。
本発明は、以上のような構造で、清掃時や入浴時にはカバー（３）を閉めておくことによりトイレットペーパーへの湿気や水滴が防げる。湿気や水滴の心配が無い時に、カバー（３）を持ち上げ固定装置（４）に固定し開放空間を作ることにより、トイレットペーパーの使用や交換が容易に出来る。
【発明の効果】
【０００６】  トイレットペーパーとホルダーに開閉式トイレットペーパーカバーを設置することにより、清掃時や入浴時にトイレットペーパーが湿気たり濡れたりすることが無くなり、常に気持ち良くトイレットペーパーを使用出来るようになる。
【図面の簡単な説明】
【図１】本発明でのカバーを開けた時の側面断面図である。
【図２】本発明でのカバーを開けた時の斜視図である。
【図３】本発明でのカバーを閉めた時の斜視図である。
【符号の説明】
１  トイレットペーパーホルダーが取りつけられた壁面
２  プレート
３  カバー
４  固定装置
【図１】
2006212360.tif 000003
【図２】
2006212360.tif 000004
【図３】
2006212360.tif 000005
(57)【要約】      （修正有）【課題】運動時、日常時，常に装着し，足への負担を軽減させるパワーフットサックの提供。【解決手段】足１の指に密着し、自然に足１の指を開くことができるようにして、  地面に対する接地面を増やす。また常に装着していても足１に違和感をかんじさ  せぬよう、サイズを選べるようにする。【選択図】図２
2006212336.tif 000002
【特許請求の範囲】
【請求項１】
スポーツ時、日常生活時、足の指を広げることにより、地面に対する接地面を増やし、足への負担を軽減し、いままで異常の力を引き出す、パワーフットサック。
【発明の詳細な説明】
【技術分野】
【０００１】
本発明は、足を使うあらゆる運動時に足に装着するものである
【発明の開示】
【発明が解決しようとする課題】
【０００２】
解決しようとする問題点は、いままでは、足の指を開けば力が入るということは常識だが、それに関する技術は開発されていなかった。
【課題を解決するための手段】
【０００３】
本発明は、足の指に密着し、自然に足の指を開くことができるようになる。
【発明の効果】
【０００４】
本発明のパワーフットサックは、自然に足の指を開くことにより負担を軽くし力をいれやすくなる。
スポーツ時、日常生活時、足の指を広げることにより、地面に対する接地面を増やし、
足への負担を軽減し、いままで異常の力を引き出す。
【図面の簡単な説明】
【０００５】
【図１】本発明の全体図
【図２】足に装着した際上から示した図である。
【図３】足に装着した際前から示した図である。
【符号の説明】
【０００６】
１．  足
２．  パワーフットサック
【図１】
2006212336.tif 000003
【図２】
2006212336.tif 000004
【図３】
2006212336.tif 000005
(57)【要約】【課題】グリスタンクから定量のグリスを供給する装置に関するものであり、安価で簡単なグリス供給装置を提供する事を目的とするものである。【解決手段】グリスタンク１の下面にスライドプレート９を設け、スライドプレート９の上面にグリスを供給するための空隙１０を設けた構成として、圧縮エアーを使用せずとも、タンクに充填されたグリスは自重とスライドプレート移動の際に上面に設けたホルダーのスキージ効果により、供給プレートの空隙に一定量供給できる。【選択図】図１
2006212503.tif 000002
【特許請求の範囲】
【請求項１】
グリスタンクの下面で、グリスタンクを保持するホルダーと対向する位置に、水平方向に摺動可能なスライドプレートを設け、上記スライドプレートの上面に上記ホルダーで計量した所定量のグリスを保持する空隙を設けたグリス供給装置。
【請求項２】
ホルダーは、スライドプレートが摺動可能でかつ、外部のグリス漏れを発生しないようにスライドプレートに対向してスライドプレートの上面に設けた請求項１記載のグリス供給装置。
【発明の詳細な説明】
【技術分野】
【０００１】
本発明は、グリスタンクから所定量のグリスを製造工程などに定量供給するグリス供給装置に関するものである。
【背景技術】
【０００２】
従来、この種の装置は、図６に示される構成を有していた。
【０００３】
図６は、従来のグリス供給装置の構成図である。
【０００４】
図６において、１はグリスが充填されるグリスタンクであり、このグリスタンク１には、上面に圧縮エアーの供給部２、下方にはグリスが排出される供給チューブ３が設けられている。また、この供給チューブ３の中間にはバルブ４が設けられている。
【０００５】
またグリス受け５には、グリス６が供給され、供給されたグリス量を検出するセンサー７が設けられており、センサー７の情報によりバルブ４の開閉を制御できるように構成されている。
【特許文献１】特開２００２−３２０８８９号公報
【発明の開示】
【発明が解決しようとする課題】
【０００６】
しかしながら、上記従来の構成では、圧縮エアーや圧縮エアー専用タンク、電気部品のセンサー、バルブ等が必要であり装置が複雑で高額なものになるという問題を有していた。
【０００７】
本発明は、前記問題を解決しようとするものであり、安価で簡単なグリス供給装置を提供する事を目的とするものである。
【課題を解決するための手段】
【０００８】
前記目的を達成するために、本発明は以下の構成を有するものである。
【０００９】
本発明の請求項１に記載の発明は、特に、グリスタンクとこのグリスタンクの下部にグリス供給用のスライドプレートを設けた構成を有しており、これにより、スライドプレートの移動動作によりグリスの供給ができるという作用効果を有する。
【発明の効果】
【００１０】
本発明のグリス供給装置は、グリスタンク下部にグリス供給プレートを設けた構成であり、圧縮エアーを使用せずとも、タンクに充填されたグリスは自重とスライドプレート移動の際に上面に設けたホルダーのスキージ効果により、供給プレートの空隙に一定量供給できるという効果を有する。
【発明を実施するための最良の形態】
【００１１】
以下、実施の形態１を用いて、本発明の特に請求項１および２に記載の発明について図面を参照しながら説明する。
【００１２】
図１は、本発明の実施の形態１におけるグリス供給装置を示す斜視図である。
【００１３】
図１において、１はグリスタンクであり、ホルダー８に保持されている。９はグリスタンク１の下部に位置するスライドプレート、１０はスライドプレート９に設けられ所定量のグリスを保持する空隙である。１１はスライドプレート９がホルダー８の下部を左右水平方向に移動または摺動可能に保持するガイドであり、上面にはグリスタンク１をホルダー８により固定している。
【００１４】
次に、本発明の請求項１および２に記載の発明について、その動作を図面を参照しながら説明する。図２は、スライドプレート９が次の製造工程となるグリス供給側に位置した状態を示す断面図であり、この位置からグリスタンク側にスライドプレートが移動する。このとき、グリスタンク１のグリスは、ホルダー８に対応したスライドプレート９により外部にグリスが漏れないようなシール性を有した構成になっている。図３は、スライドプレート９の空隙１０がグリスタンク１の下の位置に移動した状態を示す断面図であり、グリスは外部に漏れることなく自重により空隙１０に供給される。
【００１５】
図４は、スライドプレート９がグリスタンク１の下の位置から移動した状態を示す断面図であり、移動する過程で空隙１０以外のスライドプレート９上のグリスはホルダー８の下面で所定量をかきとるように計量しスキージされてグリスタンク１内に残り、空隙１０にのみ定量のグリスが供給される。このときも、ホルダー８に対応したスライドプレート９によりグリスタンク１のグリスが外部に漏れることはない構成となっている。図５は、スライドプレート９が所定量のグリスをグリスの供給側となる次工程へ移動した状態を示す断面図である。
【産業上の利用可能性】
【００１６】
本発明にかかるグリス供給装置は、圧縮エアーや供給グリス量の検出によるバルブ制御が不要で簡単な構成となる効果を有し、安価なグリス供給装置を提供する用途などとして有用である。
【図面の簡単な説明】
【００１７】
【図１】本発明の実施の形態１におけるグリス供給装置の斜視図
【図２】本発明の実施の形態１におけるグリス供給装置の断面図
【図３】本発明の実施の形態１におけるグリス供給装置の断面図
【図４】本発明の実施の形態１におけるグリス供給装置の断面図
【図５】本発明の実施の形態１におけるグリス供給装置の断面図
【図６】従来のグリス供給装置の構成図
【符号の説明】
【００１８】
１  グリスタンク
２  圧縮エアー供給部
３  供給チューブ
４  バルブ
５  グリス受け
６  グリス
７  センサー
８  ホルダー
９  スライドプレート
１０  空隙
１１  ガイド
【図１】
2006212503.tif 000003
【図２】
2006212503.tif 000004
【図３】
2006212503.tif 000005
【図４】
2006212503.tif 000006
【図５】
2006212503.tif 000007
【図６】
2006212503.tif 000008
(57)【要約】      （修正有）【課題】廃石膏の再利用するための加工技術と、労働環境の改善が強く要望されており、それを改良した廃石膏の連続式造粒システムを提供する。【解決手段】イ）建築廃材から発生する廃石膏の紙を分離・除去する破砕機１を取りつける。ロ）回転式ふるい機３を取りつけ、次に乾燥用のバーナー２を取りつけ、紙を分離、除去した廃石膏を乾燥させ、ふるい分けする。ハ）吹きつけ装置５を取りつけ、一定の粒度に乾燥した廃石膏粒にでんぷんのような糊剤とにがりのような薬効成分と水のような溶剤を混合した溶液を吹きつける。  ニ）焼き付け用バーナー６を付けた乾燥機７を取りつけ、溶液を吸収した廃石膏粒を焼き付け、乾燥して硬化させる。ホ）破砕ふるい機８を取りつけ、硬化した廃石膏粒の塊を一定の粒度にする。ヘ）袋詰め機９を取りつけ、一定の粒度の廃石膏粒剤を袋詰めにする。【選択図】図１
2006212614.tif 000002
【特許請求の範囲】
【請求項１】
イ）建築廃材から発生する廃石膏の紙を分離・除去する破砕機（１）取りつける。
ロ）その破砕機（１）の次に回転式ふるい機（３）を取りつけ、次に乾燥用のバーナー（２）を取りつけ、紙を分離、除去した廃石膏を乾燥させ、ふるい分けする。
その際、ふるい分けの中のオーバーサイズの廃石膏は再び、破砕機（１）に戻す、戻しスクリューコンベア（４）を設ける。
ハ）回転式ふるい機（３）の次に吹きつけ装置（５）を取りつけ、一定の粒度に乾燥した廃石膏粒にでんぷんのような糊剤とにがりのような薬効成分と水のような溶剤を混合した溶液を吹きつける。
ニ）更に吹き付け装置（５）の次に焼き付け用バーナー（６）を付けた乾燥機（７）を取りつけ、溶液を吸収した廃石膏粒を焼き付け、乾燥して硬化させる。
ホ）そして、乾燥機（７）の次に破砕ふるい機（８）を取りつけ、硬化した廃石膏粒の塊を一定の粒度にする。
ヘ）最後に破砕ふるい機（８）の次に袋詰め機（９）を取りつけ、一定の粒度の廃石膏粒剤を袋詰めにする。
以上のごとく、構成された廃石膏の連続式造粒システムに関するものである。
【発明の詳細な説明】
【発明の詳細な説明】
【技術分野】
【０００１】  この発明は廃石膏材から紙を分離、除去し、もろく、崩れやすく飛散する性質の廃石膏に糊剤、薬効成分、溶剤を混合した溶液を吸収させ、熱を加えて硬化乾燥して、散布等の取り扱いやすく、保存出来る粒剤を製造する廃石膏の連続式造粒システムに関するものである。
【背景技術】
【０００２】  従来、廃石膏の再利用の技術は、紙を分離する破砕までか、大半で石膏粉として埋立処分されていた。
ほんの一部、石膏粉の状態で、土壌改良剤、水分調節剤や特殊肥料に利用されたが、ほとんどは廃棄されている現状である。
建築材の解体や新築によって、日常、多量に発生する廃石膏材の再利用は強く要望されている。
【発明が解決しようとする課題】
【０００３】  まず本発明は、再生利用するため、次の廃石膏の欠点を解決しようとした。
イ）もろい、崩れやすい、軟らかい
ロ）乾燥すると、粉末になり、空気中に飛散する。
ハ）水を含むと粘土のように渇きが悪く、滑りやすい。
【課題を解決しようとする手段】
【０００４】以下、本発明の課題を解決するための手段を説明する。
イ）建築廃材から発生する廃石膏の紙を分離・除去する破砕機（１）取りつける。
ロ）その破砕機（１）の次に回転式ふるい機（３）を取りつけ、次に乾燥用のバーナー（２）を取りつけ、紙を分離、除去した廃石膏を乾燥させ、ふるい分けする。
その際、ふるい分けの中のオーバーサイズの廃石膏は再び、破砕機（１）に戻す、戻しスクリューコンベア（４）を設ける。
ハ）回転式ふるい機（３）の次に吹きつけ装置（５）を取りつけ、一定の粒度に乾燥した廃石膏粒にでんぷんのような糊剤とにがりのような薬効成分と水のような溶剤を混合した溶液を吹きつける。
ニ）更に吹き付け装置（５）の次に焼き付け用バーナー（６）を付けた乾燥機（７）を取りつけ、溶液を吸収した廃石膏粒を焼き付け、乾燥して硬化させる。
ホ）そして、乾燥機（７）の次に破砕ふるい機（８）を取りつけ、硬化した廃石膏粒の塊を一定の粒度にする。
ヘ）最後に破砕ふるい機（８）の次に袋詰め機（９）を取りつけ、一定の粒度の廃石膏粒剤を袋詰めにする。
以上のごとく、構成された廃石膏の連続式造粒システムに関するものである。
【発明を実施するための最良の形態】
【０００５】  以下、本発明の実施の形態を説明する。
このようにすると、廃石膏剤は比重は軽いが、より硬化して強度が増し、乾燥しても、粉末化せず、空気中に飛散しなくなり、水を含んでも溶けにくい性質で安定した品質になった。
そのため、袋詰めすれば長期保存が出来て、機械での散布も可能になり、取り扱いしやすくなった。
この安定した性質の廃石膏粒剤はイオウ殺菌力を持つ硫酸カルシウムを主成分にしているので、抗菌作用の持続効果を持っている。
更ににがりのような嫌味成分を含ませているので、養鶏場、養豚場等の畜舎に散布しても、にわとり、豚等の家畜が間違って継続的に食することはない。
更に着色成分を加えておけば、視力認識で識別出来るし、燻煙成分である木酢液を加えれば、臭いによる判別も加わり、嫌味効果が高まる。
更に鳥インフルエンザのような伝染病の媒介する野生動物の畜舎への侵入を防ぐ、嫌味抗菌剤としても使用出来る。
又、木酢液等は殺菌作用と消臭作用があり、消臭抗菌剤としても使用出来る。
更に応用として、廃石膏粒剤は多孔質にもなるため、オルソー剤のような液体殺菌剤を吸着して、即効性と持続性の殺菌抗菌作用も持たすことが出来る。
又、廃石膏は不燃材である特徴を活かし、石油等の油を吸着させる防火砂の代用にもなる。
更に比重が軽いので、水面の油吸着材にもなる。
更に、通常使用される塩化カルシウム、塩化ナトリウムを成分にした融雪剤の散布後に発生する散布した周辺の塩害についても、中和剤として使用が可能である。
又、建物の床下に発生するシロアリについても効果があり、木酢を含ませた場合には予防にもなる。
なお、床下等に散布すれば、不燃材として調湿効果もあり、ネズミのような糞尿に対しても抗菌作用もあり、シロアリ防止にもなり、最適である。
【発明の効果】
【０００６】  この発明の効果を説明する。
この発明によって、労働環境が改善され、作業効率が高まり、安定した再生利用の市場を拡大し、低い生産コストで価値のある商品を提供できる。
なお、廃石膏の代用として、活性炭や天然ゼオライト、又は木材チップを利用してもよい。又は廃石膏粒剤に混合してもよい。
更に廃石膏の紙を分離する破砕機の前に自動投入装置を取りつけて、無人化ラインも出来る。
又、廃石膏から分離された紙を生産ラインの乾燥機の燃料熱源として使用してもよい。そうすれば、リサイクル率が１００％になる。
【図面の簡単な説明】
【図１】本発明の実施例を示す工程ライン説明図。
【符号の説明】
（１）破砕機（２）乾燥用のバーナー（３）回転式ふるい機
（４）戻しスクリューコンベア（５）吹き付け装置
（６）焼き付け用バーナー（７）乾燥機（８）破砕ふるい機
（９）袋詰め機
【図１】
2006212614.tif 000003
(57)【要約】      （修正有）【課題】改良した木くずチップの連続式造粒システムを提供する。【解決手段】イ）建築廃材から発生する廃木材の付着物を分離・除去して一定の粒度にする破砕機（１）を取りつける。ロ）次に、回転式ふるい機（３）および、ガス焼き、乾燥用のバーナー（２）を取りつけ、付着物を分離、除去して一定の粒度にした木くずチップを乾燥させ、ふるい分けする。ハ）次に吹きつけ装置（５）を取りつけ、でんぷんのような糊剤と木酢のような薬効成分と水のような溶剤を混合した溶液を吹きつける。ニ）更に焼き付け用バーナー（６）を付けた乾燥機（７）を取りつけ、溶液を吸収した木くずチップを焼き付け、乾燥して硬化させる。ホ）そして、破砕ふるい機（８）を取りつけ、硬化した木くずチップの塊を一定の粒度にする。ヘ）最後に袋詰め機（９）を取りつけ、一定の粒度の木くずチップを袋詰めにする。【選択図】図１
2006212613.tif 000002
【特許請求の範囲】
【請求項１】
イ）建築廃材から発生する廃木材の付着物を分離・除去して一定の粒度にする破砕機（１）取りつける。
ロ）その破砕機（１）の次に、回転式ふるい機（３）を取りつけ、次にガス焼き、乾燥用のバーナー（２）を取りつけ、付着物を分離、除去して一定の粒度にした木くずチップを乾燥させ、ふるい分けする。
その際、ふるい分けの中のオーバーサイズの木くずチップは再び、破砕機（１）に戻す、戻しラインコンベア（４）を設ける。
ハ）回転式ふるい機（３）の次に吹きつけ装置（５）を取りつけ、一定の粒度にガス焼き、乾燥した木くずチップにでんぷんのような糊剤と木酢のような薬効成分と水のような溶剤を混合した溶液を吹きつける。
ニ）更に吹き付け装置（５）の次に焼き付け用バーナー（６）を付けた乾燥機（７）を取りつけ、溶液を吸収した木くずチップを焼き付け、乾燥して硬化させる。
ホ）そして、乾燥機（７）の次に破砕ふるい機（８）を取りつけ、硬化した木くずチップの塊を一定の粒度にする。
ヘ）最後に破砕ふるい機（８）の次に袋詰め機（９）を取りつけ、一定の粒度の木くずチップを袋詰めにする。
以上のごとく、構成された木くずチップの連続式造粒システムに関するものである。
【発明の詳細な説明】
【発明の詳細な説明】
【技術分野】
【０００１】  この発明は廃木材から付着物を分離、除去し、針状の表面をガス焼き、除去、乾燥した木くずチップに糊剤、薬効成分、溶剤を混合した溶液を吸収させ、熱を加えて硬化乾燥して、散布等の取り扱いやすく、保存出来る粒剤を製造する木くずチップの連続式造粒システムに関するものである。
【背景技術】
【０００２】  従来、廃木材の再利用の技術は、木くずチップをつくる破砕工程までが大半であった。
燃料や再生材の原料として商品価値の低い市場しかなかった。
建築物の解体や新築によって、日常、多量に発生する廃木材の付加価値を高める加工技術が強く要望されている。
【発明が解決しようとする課題】
【０００３】  従来、次のような課題があった。
イ）廃木材から製造する木くずチップの切断面が、ギザギザの針状で、トゲになり、刺傷をつくる危険形状であった。
ロ）木くずチップには、付着物が多く、材質が一定しなかった。
ハ）木くずチップは保管が悪いと、水を含んだ後、発熱して火災を発生する場合がある。
【課題を解決しようとする手段】
【０００４】  以下、本発明の課題を解決するための手段を説明する。
イ）建築廃材から発生する廃木材の付着物を分離・除去して一定の粒度にする破砕機（１）取りつける。
ロ）その破砕機（１）の次に、回転式ふるい機（３）を取りつけ、次にガス焼き、乾燥用のバーナー（２）を取りつけ、付着物を分離、除去して一定の粒度にした木くずチップを乾燥させ、ふるい分けする。
その際、ふるい分けの中のオーバーサイズの木くずチップは再び、破砕機（１）に戻す、戻しラインコンベア（４）を設ける。
ハ）回転式ふるい機（３）の次に吹きつけ装置（５）を取りつけ、一定の粒度にガス焼き、乾燥した木くずチップにでんぷんのような糊剤と木酢のような薬効成分と水のような溶剤を混合した溶液を吹きつける。
ニ）更に吹き付け装置（５）の次に焼き付け用バーナー（６）を付けた乾燥機（７）を取りつけ、溶液を吸収した木くずチップを焼き付け、乾燥して硬化させる。
ホ）そして、乾燥機（７）の次に破砕ふるい機（８）を取りつけ、硬化した木くずチップの塊を一定の粒度にする。
ヘ）最後に破砕ふるい機（８）の次に袋詰め機（９）を取りつけ、一定の粒度の木くずチップを袋詰めにする。
以上のごとく、構成された木くずチップの連続式造粒システムに関するものである。
【課題を解決しようとする手段】
【０００５】  以下、本発明の実施の形態を説明する。
このようにすると、木くずチップは比重は軽く、切断面の針状はなくなり、表面は炭化して硬く、内部は木質の多孔質になり、腐食しにくい性質で、安定した品質になった。
そのため、袋詰めすれば長期保存が出来て、機械での散布も可能になり、取り扱いしやすくなった。
この安定した性質の木くずチップ粒剤は、木酢成分を含有しているので、抗菌作用の持続効果を持っているため、養鶏場、養豚場等の畜舎の、抗菌作用のある安全な敷材として使用できる。
その後、堆肥の水分調整剤として使用できる。
又、木酢液等は殺菌作用と消臭作用があり、消臭抗菌剤としても使用出来る。
更に応用として、木くずチップ粒剤は多孔質にもなるため、オルソー剤のような液体殺菌剤を吸着して、即効性と持続性の殺菌抗菌作用も持たせることが出来る。
又、木くずチップ粒剤は吸着性質の特徴を活かし、更に比重が軽いので、水に浮き、水面の油を吸着する油吸着剤になる。
又、建物の床下に発生するシロアリについても、木酢を含んでいるのでシロアリ防止の効果剤になる。
なお、床下等に散布すれば、吸湿とシロアリ予防が出来て、最適の床下調湿剤になる。
更に応用として、でんぷんのような糊剤を濃めに使用するか、粘性の強い樹脂を糊剤にして、木くずチップに吹き付けて、型入れ成型か、押し出し成型して、硬化乾燥すれば、オガライトのような煙の少ない、火もちの良い、高燃焼する固形燃料になる。
又、更に炭化加工すれば、成型炭、ブロック炭になり、無煙の固形燃料になったり、敷設工事が出来るブロック型の水質浄化材にもなる。
【発明の効果】
【０００６】  この発明の効果を説明する。
この発明によって、労働環境が改善され、作業効率が高まり、安定した再生利用の市場を拡大し、低い生産コストで価値のある商品を提供できる。
なお、材質的には腐食しにくい防虫効果のある下草防止剤や樹木保護剤として使用できるが、土壌還元を促進する場合には、微生物による分解を早めるため、砂糖のような糖を糊料に加えると良い。
なお、この発明によって木くずチップは煙の少ない、火もちの良い、高燃焼する粒状燃料になる。
更に、この木くずチップを炭化すると、硬質の粒状炭になり、赤外線を発して、高燃焼する燃料や、油吸着剤、土壌改良剤、消臭剤、水質浄化剤等に使用出来る吸着剤にもなる。
【図面の簡単な説明】
【図１】本発明の実施例を示す工程ライン説明図。
【符号の説明】
（１）破砕機（２）ガス焼き乾燥用のバーナー（３）回転式ふるい機
（４）戻しラインコンベア（５）吹き付け装置
（６）焼き付け用バーナー（７）乾燥機（８）破砕ふるい機
（９）袋詰め機
【図１】
2006212613.tif 000003
(57)【要約】【課題】  鋼板などの厚板断面の溶接継手の問題を解決することである。【解決手段】  開先に表面と平行部分を設けて上記課題を解決する。【選択図】    図１
2006212700.tif 000002
【特許請求の範囲】
【請求項１】
溶接において用いる、階段状の表裏より全断面にわたらない面と、それを結ぶ表面に平行な面を持つＺ形開先
【発明の詳細な説明】
【発明の詳細な説明】
【０００１】〔産業上の利用分野〕
本発明は、鋼板などの溶接に関するものである。
【背景技術】
【０００２】  鋼板などの溶接継手において、溶接すべき断面にＩ、レ、Ｖ，Ｘ形などの開先を取り溶接が行われてきた。これらは表裏面より断面を貫く形で作られてきた。
【発明が解決しようとする課題】
【０００３】  厚さの厚い板の溶接においては、片面より溶接することは難しく、表裏二面より、ある場合は何層に分けて溶接を行ってきた。その場合、片面からの溶接の底部に溶接不良部ができ易く、その部のはつりなどが必要となる。Ｚ形に開先を取ることにより、その表面との平行部が電弧アークの吹き抜けを防止し、良好な溶接が期待できる。さらに溶け込み深さを板の厚さの半分にすることが可能となる。
【実施例】
【０００４】  図１は、本発明の溶接継手における開先の概念図である。１は溶接される板の側面図である。ａより断面方向に開先を取り、ｂにおいて水平部分を設け、されにｃよりｄへと断面方向に開先を取る。全断面溶け込み溶接はａ〜ｂおよびｃ〜ｄ断面に行う。部分溶け込み溶接母場合はａ〜ｂ、またはｃ〜ｄの断面のみ行う。
【発明の効果】
開先をＺ形にすることにより、一回に行う溶接のど厚を板の厚さの半分にすることができる。また、部分溶け込み溶接とする場合は溶け込み厚さを確実にすることができる。
【図面の簡単な説明】
【図１】  「本発明の開先の簡単な側面概念図である。」
【図１】
2006212700.tif 000003
(57)【要約】【課題】携帯機器用の振動発生用小型モーターは駆動力を発生させるモーターシャフトの先端に一個偏重心の分銅を回転させることで振動を発生させていた。そのため、発生する振動幅はそれ相応の値しか得られなかった【解決手段】振動発生用小型モーター１のシャフト４をモーター本体２の両側に出した構造で、そのシャフト４の両端に丸みを持たせた断面半月状の偏重心の分銅３を固定し、又、その両側の分銅３が回転して振動発生させることにより、発生する振動幅を効率的に倍増させることを特徴とするものである。【選択図】  図１
2006212608.tif 000002
【特許請求の範囲】
【請求項１】
小型モーターのシャフトを、モーター胴体部の両側に出した構造である振動発生用小型モーターの両端に固定した二個の偏重心の分銅の位置は、シャフトに対して同角度、同一方向に取り付けた事を特徴とする振動発生装置
【請求項２】
上記小型モーターのシャフトの両端に固定した二個の偏重心の分銅の位置は、シャフトの両端に対称点に固定したことを特徴とする振動発生装置。
【請求項３】
請求項２記載の振動発生用小型モーターで、その胴体部と固定した該偏重心の分銅は、一定間隔を持たせたことを特徴とする振動発生装置。
【請求項４】
請求項１〜３記載の振動発生用モーターの該偏重心の分銅は断面半月状の断面平面部のコーナー部分に丸みを持たせた形状であることを特徴とした振動発生装置。
【請求項５】
請求項１〜４記載の振動発生装置の電源は充電式バッテリーとし、そのバッテリーは、充電用アダプターにて充電可能、且つ、容易に着脱可能なものであることを特徴とする振動発生装置。
【請求項６】
請求項１〜５記載の振動発生装置を時刻報知用に搭載した腕時計。
【請求項７】
請求項１〜５記載の振動発生装置を時刻報知用に搭載した携帯用タイマー。
【請求項８】
請求項１〜５記載の振動発生装置を時刻、着信報知用に搭載した携帯電話装置。
【請求項９】
請求項１〜５記載の振動発生装置を時刻、着信報知用に登載したその他の携帯端末機。
【発明の詳細な説明】
【技術分野】
【０００１】  本発明は、振動発生用小型モーターで発生する振動幅の倍増を図った振動発生装置に関する。
【背景技術】
【０００２】  従来、携帯機器用の振動発生モーターは駆動力を発生させるモーターシャフトに一個の偏重心の分銅を回転させることで振動を発生させていたため、それ相応の振動力しか得られなかった。【０００３】  また、振動発生用小型モーターに固定する従来の偏重心の分銅の断面が回転時に回転方向に空気抵抗をうけるので無駄なバッテリーの電力消費になる。
【発明の開示】
【発明が解決しようとする課題】
【０００４】  以上に述べたように、従来の振動発生装置では発生させる振動幅に限界がある。【０００５】  本発明は、腕時計、携帯電話、携帯用タイマー等の携帯端末機において、振動による時刻及び着信の報知手段としてより大きな振動幅を得ることができる振動発生装置を実現することを目的とするものである。
【課題を解決するための手段】
【０００６】  本発明の課題を解決する為に、請求項１に記載の発明は、図１（ａ１，２）に示すように、振動発生用小型モーター１のシャフト４をモーター胴体部２の両側に出した構造とし、そのシャフト４の両端に、偏重心の分銅３を固定し、その二個の偏重心の分銅３の位置が同角度、同一方向にしてあるため、小型モーター２の回転時にシャフト４の両端の該分銅３に対する遠心力が同期しているため、モーター全体に大きな遠心方向の力が発生し、振動幅が倍増する。【０００７】  従って、その振動はモーター全体の遠心力による振動なので、身体に密着する装置、アラーム腕時計の時刻報知、携帯電話機の着信報知等に対しては皮膚を叩くような方向に働くので非常に効果的である。【０００８】  請求項２に記載の発明によれば、小型モーター２のシャフト４の両端に固定された二個の該分銅３の固定位置は図１（ｂ１，２）に示すように対称点になっているため、モーター回転により発生する二個の該分銅の遠心力は両端で反対方向の遠心力が発生するため、モーター本体の軸受け部分に働く力は二倍となり、大きな振動幅が得られる。【０００９】  この振動は、請求項２の発明による振動とは異なる振動で非常に効率的な振動幅が得ら  れる。【００１０】  請求項３の記載の発明によれば、図１（ｃ１，２）に示すように、モーター本体２とシャフト４の両端に固定された二個の該分銅３の位置との間に一定の間隔を持たせることである。【００１１】  この間隔を大きくすればするほど、小型モーター２の回転時に発生する二個の該分銅３による遠心力がモーター２の軸受けに加わる力は非常に大きくなり、非常に効率的に大きな振動幅を得ることができる。【００１２】  請求項４に記載する発明によれば、図２に示すように、振動発生用小型モーター１に固定する該分銅３の平面部は、モーター回転時に該分銅の回転方向に生じる空気抵抗の影響を軽減するため、偏重心の断面半月状断面の平面部分のコーナー側に丸みを設けた構造の分銅とし、バッテリーの電力消費を少なくするようにしたものである。【００１３】  請求項５に記載する発明によれば、振動発生用小型モーター１はそれ相応の電力を消費するので、バッテリーは容易に着脱できるものとし、且つ、充電できるように、充電用アダプターを備えたものである。【００１４】  請求項６に記載する発明によれば、腕時計の時刻報知用としては、充電式アダプター付の充電式バッテリーであるため、従来のバッテリーより比較的大容量のものを内蔵するため、大きな振動幅がえられる。
【図面の簡単な説明】
【００１５】
【図１】  （ａ１）請求項１に記載の振動発生用小型モーターの斜視図  （ａ２）請求項１に記載の振動発生用小型モーターを横方向から視た図  （ｂ１）請求項２に記載の振動発生用小型モーターの斜視図  （ｂ２）請求項２に記載の振動発生用小型モーターを横方向から視た図  （ｃ１）請求項３に記載の振動発生用小型モーターの斜視図  （ｃ２）請求項３に記載の振動発生用小型モーターを横方向から視た図
【図２】  （ａ）請求項４に記載の丸みを持たせた断面半月状の分銅の正面図  （ｂ）請求項４に記載の丸みを持たせた断面半月状の分銅を横方向から視た図  （ｃ）請求項４に記載の丸みを持たせた断面半月状の分銅を断面方向から視た図
【符号の説明】
【００１６】１  振動発生用小型モーター
２  小型モーター
３  偏重心の分胴
４  シャフト
５  分胴とモーター本体との間隔
【図１】
2006212608.tif 000003
【図２】
2006212608.tif 000004
(57)【要約】 【課題】Ｖプロの注湯枠の昇温を抑え、フィルムの溶着を防止する。【解決手段】Ｖプロの注湯枠に対し、側面と下面へ圧縮エアーを吹き付け、冷却するようにする。特に、金枠側面からの空冷効果を上げる為、金枠の見切り面付近へチャンバーを設ける。【選択図】     図１
2006212669.tif 000002
【特許請求の範囲】
【請求項１】
Ｖプロの注湯枠に対し、側面と下面へ圧縮エアーを吹き付け、冷却するようにしたことを特徴とする注湯枠冷却装置。
【請求項２】
金枠側面からの空冷効果を上げる為、金枠の見切り面付近へチャンバーを設けたことを特徴とする請求項１の注湯枠冷却装置。
【発明の詳細な説明】
【技術分野】
【０００１】
本発明は、Ｖプロ注湯枠の冷却に関するものである。
【背景技術】
【０００２】
従来、Ｖプロ注湯枠を冷却する装置は無かった。注湯時以降も真空吸引することにより、枠の昇温は抑制されている。
【０００３】
しかし、その真空吸引はある一定時間で止め、解枠まで、自然枠内冷却する工程があり、この時に、カウンタウエイト等、熱容量が大きい製品を鋳込む場合、鋳込品からの熱により、金枠や定盤の温度が上昇し、使用しているフィルムが、金枠や定盤へ溶着してしまう不具合が発生する事が有った。
【特許文献１】特開２００２−４５９５９号
【発明の開示】
【発明が解決しようとする課題】
【０００４】
本発明は、Ｖプロの注湯枠の昇温を抑え、フィルムの溶着を防止することを目的とする。
【課題を解決するための手段】
【０００５】
上記の課題を達成するために本発明における注湯枠冷却装置は、Ｖプロの注湯枠に対し、側面と下面へ圧縮エアーを吹き付け、冷却するようにしたことを特徴とする。
【発明の効果】
【０００６】
金枠とフィルムが接する面を一辺とするチャンバーへ圧縮空気を吹き込み空冷することによって金枠の昇温を抑え、フィルムの溶着を防止することができる。
また、定盤の底面へ圧縮エアを吹きかけ、空冷することによって定盤の昇温を抑え、フィルムの溶着を防止することができる。 
【実施例】
【０００７】
本発明を適用した注湯枠冷却装置について図面に基づき詳細に説明する。図3に示す様に、従来のVプロ用金枠は、鋳型を維持するために、上枠下枠共、側壁はチャンバー(中空)形状11であり、図示しない真空ポンプから吸引する事によりチャンバー11内部を真空とし、負圧により砂型10を形成している。砂型10は、上枠3、下枠4、上面フィルム7、製品面フィルム8、８、下面フィルム9によって囲まれ、吸引をかけられることにより、負圧にされ形状を保持している。
【０００８】
注湯時、製品面フィルム8、8のうち、鋳込製品6と接する部分は焼失するが、上枠3と下枠4にはさまれる部分はフィルム状のままであり、解枠時に除去される。又、上面フィルム7、下面フィルム9はフィルム状のまま解枠前に除去される。
【０００９】
注湯後、鋳込製品6がある程度冷え固まれば真空吸引を止め、枠内にて自然冷却させるが、この時に、カウンタウエイト等、熱容量が大きい製品を鋳込む場合、鋳込製品6の熱が砂型10を介して、上枠3、下枠4、定盤5に伝わり、前述の製品面フィルム8のうち、上枠3と下枠4にはさまれる部分と、下面フィルム9が金枠や定盤へ溶着してしまう不具合が発生する場合があった(図3)。
そこで、金枠の側面用ノズル1、1と定盤底面用ノズル2を設置し、圧縮エアーを吹き、冷却することとした。
【００１０】
側面からのエアブローについては、見切面(上枠と下枠が合わさる面)側に空冷用チャンバー12、12を設け、着脱可能な側面用ノズル1、1を差し込み、手動バルブ14にてブローのオン・オフを操作する構造とした(図1,2)。
底面のエアブローについては、定盤5の下方中央付近へ底面用ノズル２を設置し、手動バルブ１３にてブローのオン・オフを操作する構造とした(図1,2)。
空冷用チャンバー12、12にはいくつかの穴が設けてあり、側面用ノズル1の差し込み口兼、空気の出入口となっている(図1)。
【００１１】
(工程)
金枠は造型から注湯後ある一定時間まで真空吸引がかけられる(砂型保持の為)。その後、吸引は止められ、枠内にて自然冷却されるが、この時、圧縮エアーを吹きかけ、積極的に空冷する。
【００１２】
今回の発明は、半自動化設備のため、手作業によるノズルの着脱、手動バルブの構成としたが、エアシリンダ等のアクチエータを用い、ノズル着脱の自動化、電磁弁によるエアブローの自動化を行う事も可能である。
【図面の簡単な説明】
【００１３】
【図１】本発明の一実施例の平面断面図（チャンバー部の断面図）である。
【図２】図1の正面断面図である。
【図３】従来の構造の正面断面図である。
【符号の説明】
【００１４】
1     金枠側面用ノズル
2     定盤底面用ノズル
3     上枠
4     下枠
5     定盤
6     鋳込製品
7     上面フィルム
8     製品面フィルム
9     下面フィルム
10          
砂型
11          
真空用チャンバー
12          
空冷用チャンバー
13          
底面ブロー用手動バルブ
14          
側面ブロー用手動バルブ
【図１】
2006212669.tif 000003
【図２】
2006212669.tif 000004
【図３】
2006212669.tif 000005